(57)【要約】【課題】ローラオフセットやスタッカーブロッキングを発生させず、かつ、カックルを発生させることなく、用紙に水性インクで画像を記録できるインクジェット記録装置及び方法を提供する。【解決手段】水性インクを用いて画像が記録された用紙１４は、表面のインクが乾燥部５０で乾燥されたのち、加湿部６０で裏面が加湿される。その後、加熱加圧部７０において、表面にヒートローラ７６が押圧当接されて、加熱加圧される。このように、加湿したのちヒートローラ７６で加熱加圧することにより、用紙１４の剛性を低下させた状態で加熱加圧することができ、カックルを良好に矯正することができる。また、裏面を加湿することにより、ローラオフセットやスタッカーブロッキングの発生を防止することができる。【選択図】図１
2011037195.tif 000002
【特許請求の範囲】
【請求項１】
枚葉の用紙を連続的に給紙する給紙部と、
前記給紙部から給紙される用紙の表面にインクジェットヘッドで水性インクを打滴して、画像を記録する記録部と、
前記記録部で表面に画像が記録された用紙の裏面を加湿する加湿部と、
前記加湿部で裏面が加湿された用紙の表面にヒートローラを押圧当接させて加熱加圧する加熱加圧部と、
前記加熱加圧部で加熱加圧された用紙を積層させて回収する回収部と、
を備えたことを特徴とするインクジェット記録装置。
【請求項２】
枚葉の用紙の表面にインクジェットヘッドで水性インクを打滴して、画像を記録する第１の記録部と、
表面に画像が記録された前記用紙の裏面を加湿する第１の加湿部と、
裏面が加湿された前記用紙の表面にヒートローラを押圧当接させて加熱加圧する第１の加熱加圧部と、
用紙の表裏を反転させる表裏反転部と、
反転された前記用紙の裏面にインクジェットヘッドで水性インクを打滴して、画像を記録する第２の記録部と、
前記裏面に画像が記録された前記用紙の表面を加湿する第２の加湿部と、
表面が加湿された前記用紙の裏面にヒートローラを押圧当接させて加熱加圧する第２の加熱加圧部と、
を有することを特徴とするインクジェット記録装置。
【請求項３】
前記加湿部で前記用紙の裏面に供給する水分量が０．１[g/m2]〜１．０[g/m2]であることを特徴とする請求項１又は２に記載のインクジェット記録装置。
【請求項４】
前記ヒートローラの押圧力が０．０５[MPa]〜０．５[MPa]であることを特徴とする請求項１〜３のいずれか一項に記載のインクジェット記録装置。
【請求項５】
前記ヒートローラの温度が４０[℃]〜８０[℃]であることを特徴とする請求項１〜４のいずれか一項に記載のインクジェット記録装置。
【請求項６】
前記加湿部で前記用紙の裏面を加湿する液体は水であることを特徴とする請求項１〜５のいずれか一項に記載のインクジェット記録装置。
【請求項７】
前記加湿部で前記用紙の裏面を加湿する液体は、界面活性剤、及び／又は、防腐剤を含有することを特徴とする請求項１〜６のいずれか一項に記載のインクジェット記録装置。
【請求項８】
前記加湿部で加湿する前に前記記録部で前記用紙の表面に打滴された水性インクを乾燥させる乾燥部を更に備え、前記加湿部は、該乾燥部から排出された湿潤空気を前記用紙の裏面に付与して、前記用紙の裏面を加湿することを特徴とする請求項１〜５のいずれか一項に記載のインクジェット記録装置。
【請求項９】
前記水溶性インクは、熱可塑性樹脂を含有することを特徴とする請求項１〜８のいずれか一項に記載のインクジェット記録装置。
【請求項１０】
前記水溶性インクは、活性光線硬化性インクであることを特徴とする請求項１〜８のいずれか一項に記載のインクジェット記録装置。
【請求項１１】
枚葉の用紙の表面にインクジェットヘッドで水性インクを打滴して、画像を記録する第１の記録工程と、
表面に画像が記録された前記用紙の裏面を加湿する第１の加湿工程と、
裏面が加湿された前記用紙の表面にヒートローラを押圧当接させて加熱加圧する第１の加熱加圧工程と、
加熱加圧された前記用紙の裏面にインクジェットヘッドで水性インクを打滴して、画像を記録する第２の記録工程と、
前記裏面に画像が記録された前記用紙の表面を加湿する第２の加湿工程と、
表面が加湿された前記用紙の裏面にヒートローラを押圧当接させて加熱加圧する第２の加熱加圧工程と、
からなることを特徴とするインクジェット記録方法。
【請求項１２】
前記第２の記録工程の前に前記第１の加熱加圧工程で加熱加圧された前記用紙を所定枚数積層させて回収する回収工程を含むことを特徴とする請求項１１に記載のインクジェット記録方法。
【請求項１３】
前記第１の加湿工程及び第２の加湿工程で前記用紙の裏面に供給する水分量が０．１[g/m2]〜１．０[g/m2]であり、前記第１の加熱加圧工程及び第２の加熱加圧工程における前記ヒートローラの押圧力が０．０５[MPa]〜０．５[MPa]、温度が４０[℃]〜８０[℃]であることを特徴とする請求項１１又は１２に記載のインクジェット記録方法。
【発明の詳細な説明】
【技術分野】
【０００１】
本発明は、インクジェット記録装置及び方法に係り、特に用紙（浸透性を有する記録媒体）に水性インクで画像を記録するインクジェット記録装置及び方法に関する。
【背景技術】
【０００２】
用紙に水性インク（少なくとも水と色材を含むインク）を用いてインクジェット方式で画像を記録すると、紙に凹凸（カックル）が発生するという問題がある。これはインクが付着した領域（画像部）とインクが付着していない領域（非画像部）とで紙の繊維に吸収される水の量に差が生じ、紙の伸び量が不均一になることによって生じる。
【０００３】
このような問題を解決するべく、特許文献１には、水を主成分とする略透明の液体を非画像部に付与することにより、非画像部の水分量を画像部の水分量に近づけて、カックルを抑制する方法が提案されている。
【０００４】
また、特許文献２には、用紙のカールを抑制する技術として、印刷面に蒸気を吹き付ける方法が提案されている。これは、吹き付けた蒸気によって表面のインクを加熱し、インクに含まれる水分を用紙内部に浸透させることにより、用紙の表面と裏面の水分量を同程度にして、カールを抑制するというものである。
【先行技術文献】
【特許文献】
【０００５】
【特許文献１】特開２００５−２１２３７１号公報
【特許文献２】特開２００８−１１９９８０号公報
【発明の開示】
【発明が解決しようとする課題】
【０００６】
しかしながら、特許文献２の方法は、カールは抑制できても、カックルを抑制することはできないという欠点がある。また、印刷面に蒸気が吹き付けられた影響でインクの乾燥が不足し、ローラオフセット（ローラの表面へのインクの転写）やスタッカーブロッキング（積層させて回収したときの上部の紙へのインクの転写、貼り付き）が発生してしまうという問題がある。
【０００７】
一方、特許文献１の方法では、非画像部に液体を付与するための手段が別途必要になり、装置構成が大型、複雑化するという欠点がある。
【０００８】
本発明は、このような事情に鑑みてなされたもので、ローラオフセットやスタッカーブロッキングを発生させず、かつ、カックルを発生させることなく、用紙に水性インクで画像を記録できるインクジェット記録装置及び方法を提供する。
【課題を解決するための手段】
【０００９】
請求項１に係る発明は、前記目的を達成するために、枚葉の用紙を連続的に給紙する給紙部と、前記給紙部から給紙される用紙の表面にインクジェットヘッドで水性インクを打滴して、画像を記録する記録部と、前記記録部で表面に画像が記録された用紙の裏面を加湿する加湿部と、前記加湿部で裏面が加湿された用紙の表面にヒートローラを押圧当接させて加熱加圧する加熱加圧部と、前記加熱加圧部で加熱加圧された用紙を積層させて回収する回収部と、を備えたことを特徴とするインクジェット記録装置を提供する。
【００１０】
本発明によれば、記録部で表面に画像が記録された用紙は、加湿部で裏面が加湿されたのち、加熱加圧部で表面にヒートローラが押圧当接されて加熱加圧される。このように、加湿したのちヒートローラで加熱加圧することにより、用紙の剛性を低下させた状態で加熱加圧することができ、カックルを良好に矯正することができる。また、裏面を加湿することにより、表面のインクの乾燥を阻害することがない。これにより、ローラオフセットやスタッカーブロッキングの発生も防止することができる。
【００１１】
請求項２に係る発明は、前記目的を達成するために、枚葉の用紙の表面にインクジェットヘッドで水性インクを打滴して、画像を記録する第１の記録部と、表面に画像が記録された前記用紙の裏面を加湿する第１の加湿部と、裏面が加湿された前記用紙の表面にヒートローラを押圧当接させて加熱加圧する第１の加熱加圧部と、用紙の表裏を反転させる表裏反転部と、反転された前記用紙の裏面にインクジェットヘッドで水性インクを打滴して、画像を記録する第２の記録部と、前記裏面に画像が記録された前記用紙の表面を加湿する第２の加湿部と、表面が加湿された前記用紙の裏面にヒートローラを押圧当接させて加熱加圧する第２の加熱加圧部と、を有することを特徴とするインクジェット記録装置を提供する。
【００１２】
本発明によれば、用紙は、表面に画像が記録されたのち、裏面に画像が記録される。すなわち、用紙は両面に画像が記録される。この際、用紙は、両面とも画像の記録後、記録面とは反対側の面が加湿されたのち、記録面がヒートローラで加熱加圧されて、カックルが矯正される。このように、記録面と反対側の面を加湿して、加熱加圧することにより、用紙の剛性を低下させた状態で加熱加圧することができ、カックルを良好に矯正することができる。また、記録面と反対側の面を加湿することにより、ローラオフセットやスタッカーブロッキングの発生を防止することができる。さらに、表面への画像の記録後、カックルが矯正された状態で裏面への画像の記録が行われるため、用紙の両面で高品質な画像を記録することができる。
【００１３】
請求項３に係る発明は、前記目的を達成するために、前記加湿部で前記用紙の裏面に供給する水分量が０．１[g/m2]〜１．０[g/m2]であることを特徴とする請求項１又は２に記載のインクジェット記録装置を提供する。
【００１４】
本発明によれば、加湿部で用紙の裏面に供給する水分量が、０．１[g/m2]〜１．０[g/m2]に設定される。これにより、カックルを矯正するのに必要十分な剛性状態で用紙を加熱加圧することができ、スタッカーブロッキングの発生も防止することができる。
【００１５】
請求項４に係る発明は、前記目的を達成するために、前記ヒートローラの押圧力が０．０５[MPa]〜０．５[MPa]であることを特徴とする請求項１〜３のいずれか一項に記載のインクジェット記録装置を提供する。
【００１６】
本発明によれば、加熱加圧部でのヒートローラの押圧力が、０．０５[MPa]〜０．５[MPa]に設定される。これにより、カックルを良好に矯正でき、かつ、ローラオフセットの発生も防止することができる。
【００１７】
請求項５に係る発明は、前記目的を達成するために、前記ヒートローラの温度が４０[℃]〜８０[℃]であることを特徴とする請求項１〜４のいずれか一項に記載のインクジェット記録装置を提供する。
【００１８】
本発明によれば、加熱加圧部でのヒートローラの温度が、４０[℃]〜８０[℃]に設定される。これにより、カックルを良好に矯正でき、かつ、ローラオフセットの発生も防止することができる。
【００１９】
請求項６に係る発明は、前記目的を達成するために、前記加湿部で前記用紙の裏面を加湿する液体は水であることを特徴とする請求項１〜５のいずれか一項に記載のインクジェット記録装置を提供する。
【００２０】
本発明によれば、水で用紙の裏面が加湿される。水で加湿することにより、取り扱いを容易にすることができる。
【００２１】
請求項７に係る発明は、前記目的を達成するために、前記加湿部で前記用紙の裏面を加湿する液体は、界面活性剤、及び／又は、防腐剤を含有することを特徴とする請求項１〜６のいずれか一項に記載のインクジェット記録装置を提供する。
【００２２】
本発明によれば、用紙の裏面を加湿する液体に界面活性剤、及び／又は、防腐剤が含有される。界面活性剤を含有させることにより、液の濡れ広がりを促進することができ、また、防腐剤を含有させることにより、カビ等の発生を抑制することができる。
【００２３】
請求項８に係る発明は、前記目的を達成するために、前記加湿部で加湿する前に前記記録部で前記用紙の表面に打滴された水性インクを乾燥させる乾燥部を更に備え、前記加湿部は、該乾燥部から排出された湿潤空気を前記用紙の裏面に付与して、前記用紙の裏面を加湿することを特徴とする請求項１〜５のいずれか一項に記載のインクジェット記録装置を提供する。
【００２４】
本発明によれば、記録部で表面に画像が記録された用紙は、乾燥部でインクが乾燥されたのち、加湿部で裏面が加湿される。この際、用紙は、加湿部において、乾燥部から排出された湿潤空気が裏面に付与されて、裏面が加湿される。これにより、インクを十分乾燥させることができるとともに、効率よく装置を稼動させることができる。
【００２５】
請求項９に係る発明は、前記目的を達成するために、前記水溶性インクは、熱可塑性樹脂を含有することを特徴とする請求項１〜８のいずれか一項に記載のインクジェット記録装置を提供する。
【００２６】
本発明によれば、水溶性インクに熱可塑性樹脂が含有される。
【００２７】
請求項１０に係る発明は、前記目的を達成するために、前記水溶性インクは、活性光線硬化性インクであることを特徴とする請求項１〜８のいずれか一項に記載のインクジェット記録装置を提供する。
【００２８】
本発明によれば、水溶性インクが活性光線硬化性インクで構成される。
【００２９】
請求項１１に係る発明は、前記目的を達成するために、枚葉の用紙の表面にインクジェットヘッドで水性インクを打滴して、画像を記録する第１の記録工程と、表面に画像が記録された前記用紙の裏面を加湿する第１の加湿工程と、裏面が加湿された前記用紙の表面にヒートローラを押圧当接させて加熱加圧する第１の加熱加圧工程と、加熱加圧された前記用紙の裏面にインクジェットヘッドで水性インクを打滴して、画像を記録する第２の記録工程と、前記裏面に画像が記録された前記用紙の表面を加湿する第２の加湿工程と、表面が加湿された前記用紙の裏面にヒートローラを押圧当接させて加熱加圧する第２の加熱加圧工程と、からなることを特徴とするインクジェット記録方法を提供する。
【００３０】
本発明によれば、用紙は、表面に画像が記録されたのち、裏面に画像が記録される。すなわち、用紙は両面に画像が記録される。この際、用紙は、両面とも画像の記録後、記録面とは反対側の面が加湿されたのち、記録面がヒートローラで加熱加圧されて、カックルが矯正される。このように、記録面と反対側の面を加湿して、加熱加圧することにより、用紙の剛性を低下させた状態で加熱加圧することができ、カックルを良好に矯正することができる。また、記録面と反対側の面を加湿することにより、ローラオフセットやスタッカーブロッキングの発生を防止することができる。さらに、表面への画像の記録後、カックルが矯正された状態で裏面への画像の記録が行われるため、用紙の両面で高品質な画像を記録することができる。
【００３１】
請求項１２に係る発明は、前記目的を達成するために、前記第２の記録工程の前に前記第１の加熱加圧工程で加熱加圧された前記用紙を所定枚数積層させて回収する回収工程を含むことを特徴とする請求項１１に記載のインクジェット記録方法を提供する。
【００３２】
本発明によれば、表面への画像記録が完了した用紙は、一旦積層された状態で回収され、その後、裏面への画像記録が行われる。このように画像記録後の用紙を積層させた状態で回収しても、スタッカーブロッキングを発生させることなく回収することができる。
【００３３】
請求項１３に係る発明は、前記目的を達成するために、前記第１の加湿工程及び第２の加湿工程で前記用紙の裏面に供給する水分量が０．１[g/m2]〜１．０[g/m2]であり、前記第１の加熱加圧工程及び第２の加熱加圧工程における前記ヒートローラの押圧力が０．０５[MPa]〜０．５[MPa]、温度が４０[℃]〜８０[℃]であることを特徴とする請求項１１又は１２に記載のインクジェット記録方法を提供する。
【００３４】
本発明によれば、第１の加湿工程及び第２の加湿工程で用紙の裏面に供給する水分量が、０．１[g/m2]〜１．０[g/m2]に設定され、第１の加熱加圧工程及び第２の加熱加圧工程におけるヒートローラの押圧力が、０．０５[MPa]〜０．５[MPa]、温度が、４０[℃]〜８０[℃]に設定される。これにより、カックルを矯正するのに必要十分な剛性状態で用紙を加熱加圧することができ、スタッカーブロッキングの発生も防止することができる。
【発明の効果】
【００３５】
本発明によれば、ローラオフセットやスタッカーブロッキングを発生させず、かつ、カックルを発生させることなく、用紙に水性インクで画像を記録することができる。
【図面の簡単な説明】
【００３６】
【図１】本発明に係るインクジェット記録装置の第１の実施の形態の全体構成図
【図２】加湿装置の概略構成図
【図３】実験結果を示す表
【図４】本発明に係るインクジェット記録装置の第２の実施の形態の全体構成図
【発明を実施するための形態】
【００３７】
以下、添付図面に従って本発明に係るインクジェット記録装置及び方法の好ましい実施の形態について詳説する。
【００３８】
〔第１の実施の形態〕
《装置構成》
図１は、本発明に係るインクジェット記録装置の第１の実施の形態の全体構成図である。
【００３９】
このインクジェット記録装置１０は、枚葉の用紙１４にシアン（Ｃ）、マゼンタ（Ｍ）、イエロ（Ｙ）、クロ（Ｋ）の４色の水性インクを用いてカラー画像を記録するインクジェット記録装置であり、図１に示すように、主として、枚葉の用紙１４を連続的に給紙する給紙部２０と、給紙部２０から給紙された用紙１４の表面に所定の処理液を付与する処理液付与部３０と、処理液が付与された用紙１４の表面にＣ、Ｍ、Ｙ、Ｋのインク滴を打滴して画像を記録する記録部４０と、画像が記録された用紙１４を乾燥させる乾燥部５０と、乾燥後の用紙１４の裏面を加湿する加湿部６０と、裏面が加湿された用紙１４にヒートローラを押圧当接させて加熱加圧する加熱加圧部７０と、加熱加圧後の用紙１４を順次積層させて回収する回収部８０とを備えて構成されている。
【００４０】
処理液付与部３０、記録部４０、乾燥部５０及び加熱加圧部７０の各部には、それぞれ搬送手段としての圧胴（搬送ドラム）３４、４４、５４、７４が備えられており、用紙１４は、この圧胴３４、４４、５４、７４の周面に巻き掛けられて、処理液付与部３０、記録部４０、乾燥部５０及び加熱加圧部７０の各部を回転しながら搬送される。
【００４１】
また、給紙部２０と処理液付与部３０との間、処理液付与部３０と記録部４０との間、記録部４０と乾燥部５０との間、乾燥部５０と加熱加圧部７０との間には、それぞれ搬送手段としての渡し胴（搬送ドラム）３２、４２、５２、６２が配置されており、用紙１４は、この渡し胴３２、４２、５２、６２の周面に巻き掛けられて、各部の間を回転しながら搬送される。
【００４２】
圧胴３４、４４、５４、７４と渡し胴３２、４２、５２、６２は、交互に配置されており、それぞれ図示しないモータに駆動されて、互いに逆方向に回転する。すなわち、圧胴３４、４４、５４、７４は、図１において反時計回りの方向に回転し、渡し胴３２、４２、５２、６２は、図１において時計回りの方向に回転する。
【００４３】
なお、圧胴３４、４４、５４、７４と渡し胴３２、４２、５２、６２の周面には、それぞれ用紙１４の先端を把持するためのグリッパＧが備えられている。用紙１４は、このグリッパＧによって先端部を把持されながら搬送される。グリッパＧは、圧胴３４、４４、５４、７４と渡し胴３２、４２、５２、６２の周面２カ所（１８０度離れた位置）に配置されており、連続的に供給される用紙１４を順番に把持する。圧胴３４、４４、５４、７４と渡し胴３２、４２、５２、６２は、このグリッパＧの位置の同期を図りながら、用紙１４の受渡し・受け取りが行われる。
【００４４】
なお、用紙１４は、圧胴３４、４４、５４、７４に対しては、画像記録面（表面）が外側になるようにして、その周面に巻き掛けられ、渡し胴３２、４２、５２、６２に対しては、画像記録面とは反対側の面（裏面）が外側になるようにして、その周面に巻き掛けられる。
【００４５】
給紙部２０から給紙された用紙１４は、渡し胴３２を介して処理液付与部３０の圧胴３４に受け渡され、処理液付与部３０の圧胴３４から渡し胴４２を介して記録部４０の圧胴４４に受け渡される。そして、記録部４０の圧胴４４から渡し胴５２を介して乾燥部５０の圧胴５４に受け渡され、乾燥部５０の圧胴５４から渡し胴６２を介して加熱加圧部７０の圧胴７４に受け渡される。そして、さらに加熱加圧部７０の圧胴７４から回収部８０へと受け渡される。この一連の搬送過程で用紙１４は、処理液付与部３０、記録部４０、乾燥部５０、加湿部６０、加熱加圧部７０を通過し、各部で所要の処理が施されて、表面（画像記録面）に画像が形成される。
【００４６】
以下、本実施の形態のインクジェット記録装置１０の各部(給紙部２０、処理液付与部３０、記録部４０、乾燥部５０、加湿部６０、加熱加圧部７０、回収部８０)の構成について詳説する。
【００４７】
＜給紙部＞
給紙部２０は、給紙装置２２と給紙トレイ２４とを備えており、用紙１４を１枚ずつ連続的に給紙する。
【００４８】
給紙装置２２は、図示しないスタッカに積層された状態で格納された用紙１４を上側から順に１枚ずつ給紙トレイ２４に給紙する。
【００４９】
給紙トレイ２４は、給紙装置２２から１枚ずつ順に給紙された用紙１４を渡し胴３２に向けて送り出す。
【００５０】
給紙トレイ２４から送り出された用紙１４は、渡し胴３２を介して、処理液付与部３０の圧胴３４に受け渡される。
【００５１】
なお、用紙１４の種類については、特に限定されないが、ここでは、印刷用紙を用いるものとする。印刷用紙は、平滑性やインク吸収性などを高めるために塗布されるコート材（カオリン）の有無によって非塗工紙、塗工紙に区別され、塗工紙は、コートの厚みによって、さらにアート紙、コート紙、微塗工紙などに分かれる。ここでは、各種塗工紙を使用するものとする。
【００５２】
＜処理液付与部＞
処理液付与部３０は、用紙１４の表面に所定の処理液を付与する。この処理液付与部３０は、用紙１４を搬送する圧胴（処理液ドラム）３４と、処理液ドラム３４によって搬送される用紙１４の表面（画像記録面）に所定の処理液を付与する処理液付与装置３６とを備えて構成されている。
【００５３】
処理液ドラム３４は、渡し胴３２から用紙１４を受け取り（グリッパＧで用紙１４の先端を把持して受け取る。）、その周面に巻き掛けて、用紙１４を回転搬送する。この際、処理液ドラム３４は、用紙１４の表面を外側にして、渡し胴３２から用紙１４を受け取り、用紙１４を回転搬送する。
【００５４】
処理液付与装置３６は、処理液ドラム３４の周面に対向して設けられており、処理液ドラム３４によって回転搬送される用紙１４の表面に所定の処理液を付与する。この処理液付与装置３６は、周面に処理液を付与した塗布ローラを用紙１４の周面に押圧当接させて、用紙１４の表面に処理液を付与（塗布）する。
【００５５】
なお、処理液付与装置３６は、これに限らず、インクジェットヘッドで構成し、処理液の液滴を吐出させて、用紙１４の表面に処理液を付与する構成とすることもできる。また、スプレーで構成し、処理液を用紙１４の表面に噴霧して付与する構成とすることもできる。
【００５６】
用紙１４に付与する処理液は、記録部４０で付与するインクと反応して、インク中の色材を凝集させる機能を有する液体が付与される。このような処理液を事前に付与して、用紙１４にインク滴を打滴すると、インク滴は、着弾後ただちにインク中の色材が凝集され、隣接してインク滴が着弾しても、色材混合が生じるのを防ぐことができる。
【００５７】
処理液付与部３０は、以上のように構成される。渡し胴３２から処理液ドラム３４に受け渡された用紙１４は、処理液ドラム３４によって回転搬送される過程で処理液付与装置３６から表面に処理液が付与される。そして、処理液が付与された用紙１４は、処理液ドラム３４から渡し胴４２に受け渡され、渡し胴４２から記録部４０の圧胴４４に受け渡される。
【００５８】
＜記録部＞
記録部４０は、用紙１４の表面にＣ、Ｍ、Ｙ、Ｋの各色のインク滴を打滴して、用紙１４の表面にカラー画像を形成する。この記録部４０は、用紙１４を搬送する圧胴（記録ドラム）４４と、用紙１４にＣ、Ｍ、Ｙ、Ｋの各色のインク滴を打滴するインクジェットヘッド４６Ｃ、４６Ｍ、４６Ｙ、４６Ｋを備えて構成されている。
【００５９】
記録ドラム４４は、渡し胴４２から用紙１４を受け取り（グリッパＧで用紙１４の先端を把持して受け取る。）、その周面に巻き掛けて、用紙１４を回転搬送する。この際、記録ドラム４４は、用紙１４の表面を外側にして、渡し胴４２から用紙１４を受け取り、用紙１４を回転搬送する。
【００６０】
なお、渡し胴４２は、処理液付与部３０の処理液ドラム３４から用紙１４を受け取る際、画像記録面（表面）とは反対側の面（裏面）を外側にして、処理液ドラム３４から用紙１４を受け取り、用紙１４を回転搬送する。
【００６１】
４台のインクジェットヘッド４６Ｃ、４６Ｍ、４６Ｙ、４６Ｋは、記録ドラム４４の周囲に一定の間隔をもって配置されており、それぞれ対応する色のインク滴を記録ドラム４４に向けて吐出する。このインクジェットヘッド４６Ｃ、４６Ｍ、４６Ｙ、４６Ｋは、用紙幅に対応したラインヘッドで構成されており、記録ドラム４４と対向する面（ノズル面）には、用紙１４の搬送方向と直交する方向に沿って、用紙幅に対応した長さのノズル列が形成されている。
【００６２】
記録部４０は、以上のように構成される。渡し胴４２を介して処理液ドラム３４から記録ドラム４４に受け渡された用紙１４は、記録ドラム４４によって回転搬送される過程で各インクジェットヘッド４６Ｃ、４６Ｍ、４６Ｙ、４６Ｋの下を通過し、その通過時に各インクジェットヘッド４６Ｃ、４６Ｍ、４６Ｙ、４６ＫからＣ、Ｍ、Ｙ、Ｋの各色のインク滴が表面に打滴されて、表面にカラー画像が記録される。
【００６３】
この際、用紙１４には、事前にインク中の色材を凝集させる処理液が付与されているので、色材混合等を生じさせることなく、高品位な画像を記録することができる。
【００６４】
ここで、画像部では水性インク中の水分を用紙１４中の繊維が吸収し、用紙１４に伸びが発生してしまう。一方、非画像部では用紙１４は水分を吸収しないため伸びが発生しない。このように画像部と非画像部との伸び量に差が生じ、紙の伸び量が不均一になることによって、カックルとよばれる凹凸が発生してしまう。
【００６５】
各インクジェットヘッド４６Ｃ、４６Ｍ、４６Ｙ、４６ＫからＣ、Ｍ、Ｙ、Ｋの各インク色のインク滴が打滴されて表面に画像が記録された用紙１４は、記録ドラム４４から渡し胴５２に受け渡され、渡し胴５２から乾燥部５０の圧胴５４に受け渡される。
【００６６】
なお、上記のように、本実施の形態のインクジェット記録装置１０は、水性インク（少なくとも水と色材を含むインク）を用いて画像の記録を行う。したがって、各インクジェットヘッド４６Ｃ、４６Ｍ、４６Ｙ、４６Ｋからは対応するインク色の水性インクが吐出される。
【００６７】
また、本実施の形態のインクジェット記録装置１０では、インク中に熱可塑性樹脂が分散された水性インクを用いられる。これにより、後段の加熱加圧部７０で用紙１４を加熱加圧処理すると、インク中に含有された熱可塑性樹脂によって皮膜（樹脂皮膜）を形成することができ、画像の堅牢性を向上させることができる。
【００６８】
なお、本実施の形態では、ＣＭＹＫ４色のインクを用いて画像を記録する場合を例に説明しているが、インク色や色数の組み合わせについては、これに限らず、必要に応じて淡インク、濃インク、特別色インク等を追加してもよい。たとえば、ライトシアン、ライトマゼンタなどのライト系インクを吐出するインクジェットヘッドを追加した構成としてもよい。また、各色ヘッドの配置順序も特に限定はない。
【００６９】
＜乾燥部＞
乾燥部５０は、画像が記録された用紙１４を乾燥させる。この乾燥部５０は、用紙１４を搬送する圧胴（乾燥ドラム）５４と、乾燥ドラム５４によって搬送される用紙１４に対して乾燥処理を施す乾燥装置５６とを備えて構成されている。
【００７０】
乾燥ドラム５４は、渡し胴５２から用紙１４を受け取り（グリッパＧで用紙１４の先端を把持して受け取る。）、その周面に巻き掛けて、用紙１４を回転搬送する。この際、乾燥ドラム５４は、用紙１４の表面を外側にして、渡し胴５２から用紙１４を受け取り、用紙１４を回転搬送する。
【００７１】
乾燥装置５６は、用紙上に存在する水分を蒸発させる処理を行う。すなわち、記録部４０で用紙１４の上にインクが打滴されると、処理液とインクとの凝集反応により分離したインクの液体成分と処理液の液体成分とが用紙上に残留してしまうので、かかる液体成分を除去する処理を行う。この乾燥装置５６は、乾燥ドラム５４によって搬送される用紙１４に向けて温風を吹き付けることにより、用紙上に存在する液体成分を蒸発させる。
【００７２】
乾燥部５０は、以上のように構成される。渡し胴５２を介して記録ドラム４４から乾燥ドラム５４に受け渡された用紙１４は、乾燥ドラム５４による搬送過程で乾燥装置５６から温風が吹き付けられて乾燥処理される。乾燥装置５６を通過した用紙１４は、乾燥ドラム５４から渡し胴６２に受け渡され、加湿部６０へと搬送される。
【００７３】
＜加湿部＞
加湿部６０は、乾燥処理された用紙１４の裏面に加湿空気を当てて、用紙１４の裏面を加湿する。この加湿部６０は、渡し胴６２に向けて加湿空気を噴射する加湿装置６４を備えて構成されている。
【００７４】
加湿装置６４は、図２に示すように、渡し胴６２に対向して設けられた噴き出し口６６から渡し胴６２の周面に向けて加湿空気を吹き出す。この噴き出し口６６は、用紙幅に対応して形成されており、渡し胴６２の周面に近接して設けられている。
【００７５】
渡し胴６２によって回転搬送される用紙１４は、この加湿装置６４の噴き出し口６６を通過する際、その裏面に噴き出し口６６から噴き出された加湿空気が当てられて、裏面が加湿される。
【００７６】
ここで、加湿空気を構成する液体、すなわち、用紙１４の加湿に用いる液体は、取り扱い等を考慮すると、水であることが好ましい。
【００７７】
また、用紙１４の加湿に用いる液体には、液の濡れ広がりを促進するため、界面活性剤を含有させてもよい。さらに、カビ等の発生を防止するため、防腐剤を含有させてもよい。
【００７８】
なお、用紙１４の加湿に用いる液体には、水以外の液体を用いることもできるが、水溶性高沸点溶剤が含有されたものを用いると、裏面側に高沸点溶剤が残留し、吸水性が低下して、裏面印刷時に画像部の乾燥が低下する等の不具合が生じるので、用紙１４の加湿に用いる液体には、水溶性高沸点溶剤を含有しない液体を使用することが好ましい。
【００７９】
加湿部６０は、以上のように構成される。乾燥部５０の乾燥ドラム５４から渡し胴６２に受け渡された用紙１４は、この渡し胴６２によって搬送される過程で裏面に加湿装置６４から加湿空気が吹き付けられて、裏面が加湿される。
【００８０】
なお、渡し胴６２は、乾燥ドラム５４から用紙１４を受け取る際、裏面を外側にして受け取る。したがって、用紙１４は、裏面が加湿装置６４に向けられた状態で搬送される。したがって、加湿装置６４を通過することにより、その裏面に加湿空気が吹き付けられる。
【００８１】
加湿装置６４を通過した用紙１４は、渡し胴６２から加熱加圧部７０の圧胴７４に受け渡される。
【００８２】
＜加熱加圧部＞
加熱加圧部７０は、裏面が加湿された用紙１４の表面にヒートローラを押圧当接させて加熱加圧する。この加熱加圧部７０は、用紙１４を搬送する圧胴（加熱加圧ドラム）７４と、加熱加圧ドラム７４によって搬送される用紙１４に加熱加圧処理を施すヒートローラ７６とを備えて構成されている。
【００８３】
加熱加圧ドラム７４は、渡し胴６２から用紙１４を受け取り（グリッパＧで用紙１４の先端を把持して受け取る。）、その周面に巻き掛けて、用紙１４を回転搬送する。この際、加熱加圧ドラム７４は、用紙１４の表面を外側にして、渡し胴６２から用紙１４を受け取り、用紙１４を回転搬送する。
【００８４】
ヒートローラ７６は、乾燥部５０で乾燥させたインクを加熱加圧することによって、インク中に分散された熱可塑性樹脂を溶着して、インクを皮膜化させる。また、これと同時に用紙１４に生じたカックルを矯正する。このヒートローラ７６は、用紙幅に対応して形成されており、加熱加圧ドラム７４の周面に所定の押圧力で押圧当接されている。また、このヒートローラ７６は、熱源（たとえば、ハロゲンランプ）が内蔵されており、この熱源によって所定温度に加熱される。
【００８５】
なお、ヒートローラ７６は、内蔵される熱源によって加熱されることから、熱伝導性の良いアルミなどの金属パイプで形成することが好ましい。
【００８６】
また、ヒートローラ７６は、用紙１４の画像記録面に押圧当接されることから、その表面はテフロン（登録商標）等でコーティングすることが好ましい。
【００８７】
加熱加圧部７０は、以上のように構成される。渡し胴６２から加熱加圧ドラム７４に受け渡された用紙１４は、この加熱加圧ドラム７４で搬送される過程で表面にヒートローラ７６が押圧当接されて、加熱加圧される。これにより、インク中に分散された熱可塑性樹脂が溶着されて、インクが皮膜化される。また、これと同時に用紙１４に生じたカックルが矯正される。この際、本実施の形態のインクジェット記録装置１０では、加湿部６０で用紙１４を加湿してから、用紙１４を加熱加圧しているので、用紙１４の剛性を低下させた状態で加熱加圧することができ、カックルを良好に矯正することができる。また、用紙１４の裏面を加湿しているので、表面のインクの乾燥を阻害することがない。これにより、ローラオフセットやスタッカーブロッキングの発生も防止することができる。
【００８８】
ヒートローラ７６によって加熱加圧された用紙１４は、加熱加圧ドラム７４から回収部８０へと受け渡される。
【００８９】
＜回収部＞
回収部８０は、一連の画像記録工程が終了した用紙１４をスタッカ８２に回収する。この回収部８０は、用紙１４をスタッカ８２まで搬送するコンベア８４を備えている。加熱加圧部７０で加熱加圧された用紙１４は、加熱加圧ドラム７４からコンベア８４に受け渡される。そして、このコンベア８４によってスタッカ８２の設置位置まで搬送される。スタッカ８２は、所定の回収位置にセットされており、コンベア８４で搬送された用紙１４は、このスタッカ８２の中に排出される。スタッカ８２の中に排出された用紙１４は、順次スタッカ内に積層されて回収される。
【００９０】
《画像記録動作》
次に、上記のように構成された本実施の形態のインクジェット記録装置１０による画像記録動作について説明する。
【００９１】
本実施の形態のインクジェット記録装置１０では、給紙部２０から連続的に用紙１４が給紙され、連続的に画像の記録が行われる。
【００９２】
給紙装置２２から給紙された用紙１４は、給紙トレイ２４を介して、渡し胴３２に受け渡される。そして、渡し胴３２から処理液付与部３０の処理液ドラム３４に受け渡されて、処理液ドラム３４によって処理液付与部３０を回転搬送される。そして、その搬送過程で処理液付与装置３６から表面に処理液が付与される。
【００９３】
処理液が付与された用紙１４は、処理液ドラム３４から渡し胴４２に受け渡される。そして、渡し胴４２から記録部４０の記録ドラム４４に受け渡され、記録ドラム４４によって記録部４０を回転搬送される。そして、その搬送過程で各インクジェットヘッド４６Ｃ、４６Ｍ、４６Ｙ、４６ＫからＣ、Ｍ、Ｙ、Ｋの各色の水性インクのインク滴が表面に打滴されて、表面にカラー画像が記録される。この際、用紙１４には、事前にインク中の色材を凝集させる処理液が付与されているので、色材混合等を生じさせることなく、高品位な画像を記録することができる。
【００９４】
表面に画像が記録された用紙１４は、記録ドラム４４から渡し胴５２に受け渡される。そして、渡し胴５２から乾燥部５０の乾燥ドラム５４に受け渡され、乾燥ドラム５４によって乾燥部５０を回転搬送される。そして、その搬送過程で乾燥装置５６から温風が吹き付けられて、表面に打滴されたインクが乾燥される。
【００９５】
表面のインクが乾燥された用紙１４は、乾燥ドラム５４から渡し胴６２に受け渡され、その渡し胴６２によって加湿部６０を回転搬送される。そして、その搬送過程で加湿装置６４から噴き出された加湿空気が裏面に当てられて、裏面が加湿される。
【００９６】
裏面が加湿された用紙１４は、渡し胴６２から加熱加圧部７０の加熱加圧ドラム７４に受け渡され、加熱加圧ドラム７４によって加熱加圧部７０を回転搬送される。そして、その搬送過程で表面にヒートローラ７６が押圧当接されて、加熱加圧される。これにより、インク中に分散された熱可塑性樹脂が溶着されて、インクが皮膜化される。また、これと同時に用紙１４に生じたカックルが矯正される。
【００９７】
ヒートローラ７６によって加熱加圧された用紙１４は、加熱加圧ドラム７４からコンベア８４に受け渡される。そして、コンベア８４によってスタッカ８２まで搬送され、スタッカ８２に排出される。
【００９８】
スタッカ８２に排出された用紙１４は、順次スタッカ内に積層されて回収される。
【００９９】
このように、本実施の形態のインクジェット記録装置１０では、処理液の付与→水性インクの付与→乾燥→加湿→加熱加圧という工程を経て画像の記録が行われる。
【０１００】
そして、このように、水性インクの付与、乾燥が行われた用紙１４を加熱加圧する前に加湿することにより、用紙１４の剛性を低下させた状態で加熱加圧することができ、カックルを良好に矯正することができる。
【０１０１】
また、この加湿に際して、用紙１４の裏面を加湿しているので、表面のインクの乾燥を阻害することがない。これにより、ヒートローラ７６で表面側から用紙１４を加熱加圧しても、ヒートローラ７６にローラオフセットが発生することがない。また、回収部８０で用紙１４を積層させて回収しても、スタッカーブロッキングが発生することがない。
【０１０２】
なお、用紙１４は、加湿時の供給水分量が少なすぎると、剛性を十分に低下させることができず、カックルの矯正が不十分になる。逆に加湿時の供給水分量が多すぎると、加熱加圧部７０を通過しても、乾燥が不十分となって、回収部８０でスタッカーブロッキングが発生してしまう。したがって、より高品質な画像記録を行うためには、加湿時の供給水分量を適切な値に設定することが好ましい。
【０１０３】
加熱加圧を行うヒートローラ７６についても、その押圧力（ニップ圧）が低すぎると、圧力が不足して、カックルを良好に矯正することができない。逆に押圧力が高すぎると、圧力が強すぎて、ローラオフセットが発生してしまう。また、温度が低すぎると、用紙１４の剛性低下が不足し、カックルを良好に矯正することができない。逆に温度が高過ぎると、画像部が軟化しすぎて、ローラオフセットが発生してしまう。したがって、より高品質な画像記録を行うためには、ヒートローラ７６についても、押圧力、温度を適切な値に設定することが好ましい。
【０１０４】
そこで、加湿時の供給水分量、ヒーローラの押圧力、ヒートローラの温度を変えて、カックル、ローラオフセット、スタッカーブロッキングの発生状況を確認する実験を行った。図３は、その実験結果を示す表である。同表において、○は良好、△は発生するが許容範囲内、×は許容範囲外を表している。
【０１０５】
同表に示すように、加湿時の供給水分量は、０．１[g/m2]〜１．０[g/m2]の範囲内で設定することが好ましい。０．１[g/m2]未満では、用紙１４の剛性を十分に低下させることができず、カックルを良好に矯正することができないからである。その一方で、１．０[g/m2]を超えると、加熱加圧部７０を通過しても、乾燥が不十分となり、回収部８０でスタッカーブロッキングが発生してしまうからである。
【０１０６】
また、ヒートローラ７６の押圧力（ニップ圧）は、０．０５[MPa]〜０．５[MPa]の範囲内で設定することが好ましい。０．０５[MPa]未満では、圧力が不足して、カックルを良好に矯正することができないからである。その一方で、０．５[MPa]を超えると、圧力が強すぎて、ローラオフセットが発生してしまうからである。
【０１０７】
また、ヒートローラ７６の温度は、４０[℃]〜８０[℃]の範囲内で設定することが好ましい。４０[℃]未満では、温度が低すぎ、用紙１４の剛性低下が不足し、カックルを良好に矯正することができないからである。その一方で、８０[℃]を超えると、画像部が軟化しすぎて、ローラオフセットが発生してしまうからである。
【０１０８】
このように、加湿は、供給水分量を０．１[g/m2]〜１．０[g/m2]の範囲内に設定して行い、加熱加圧は、ヒートローラ７６の押圧力を０．０５[MPa]〜０．５[MPa]、温度を４０[℃]〜８０[℃]の範囲内に設定して行うことが好ましい。これにより、ローラオフセットやスタッカーブロッキングを発生させることなく、良好にカックルを矯正することができる。
【０１０９】
〔第２の実施の形態〕
図４は、本発明に係るインクジェット記録装置の第２の実施の形態の全体構成図である。
【０１１０】
本実施の形態のインクジェット記録装置１００は、加湿部６０の構成が、上述した第１の実施の形態のインクジェット記録装置１０と相違している。したがって、ここでは加湿部６０の構成についてのみ説明する。
【０１１１】
上述した第１の実施の形態のインクジェット記録装置１０では、加湿装置６４によって、用紙１４の裏面を加湿していた。本実施の形態のインクジェット記録装置１０では、乾燥部５０から排出された空気を利用して、用紙１４の裏面を加湿する。すなわち、乾燥部５０から排出された湿潤空気を加湿部６０に導き、この湿潤空気を渡し胴６２によって回転搬送される用紙１４の裏面に吹き付けて、用紙１４の裏面を加湿する。
【０１１２】
図４に示すように、本実施の形態の加湿機構１１０は、渡し胴６２によって回転搬送される用紙１４の裏面に乾燥部５０から排出された湿潤空気を吹き付ける送風ヘッド１１２と、乾燥部５０から排出された湿潤空気を集気するエアチャンバ１１４と、エアチャンバ１１４で集気した乾燥部５０の湿潤空気を送風ヘッド１１２に送気するエアダクト１１６と、エアチャンバ１１４で集気した乾燥部５０の湿潤空気をエアダクト１１６を介して送風ヘッド１１２に送気する送気ファン１１８とで構成されている。
【０１１３】
送風ヘッド１１２は、用紙幅に対応して形成されており、用紙幅に対応したエア噴き出し口を有している。そして、そのエア噴き出し口が渡し胴６２の周面に近接して設けられている。渡し胴６２によって回転搬送される用紙１４は、この送風ヘッド１１２の噴き出し口を通過する際、その裏面に噴き出し口から噴き出された湿潤空気が当てられて、裏面が加湿される。
【０１１４】
エアチャンバ１１４は、上部が開口した箱状に形成されており、乾燥部５０の乾燥ドラム５４の下部を覆うように設置されている。
【０１１５】
エアダクト１１６は、一端が送風ヘッド１１２、他端がエアチャンバ１１４に接続されており、エアチャンバ１１４で回収した湿潤空気を送風ヘッド１１２に導く。
【０１１６】
送気ファン１１８は、エアダクト１１６の途中に設置されており、エアチャンバ１１４で回収した湿潤空気を送風ヘッド１１２に送気する。
【０１１７】
加湿機構１１０は、以上のように構成される。この加湿機構１１０によれば、送気ファン１１８を回転駆動すると、乾燥部５０から排出された湿潤空気がエアチャンバ１１４で回収され、エアダクト１１６を介して、送風ヘッド１１２に送気される。そして、送風ヘッド１１２のエア噴き出し口から渡し胴６２の周面に向けて噴き出される。この結果、渡し胴６２によって用紙１４を搬送すると、送風ヘッド１１２のエア噴き出し口から噴き出された湿潤空気が、用紙１４の裏面に当てられ、用紙１４の裏面が加湿される。
【０１１８】
このように、本実施の形態のインクジェット記録装置１００では、乾燥部５０での乾燥時に生じる湿潤空気を利用して、用紙１４を加湿する。これにより、効率よく装置を稼動させることができる。
【０１１９】
なお、本実施の形態のインクジェット記録装置１００においても、加湿時の供給水分量は、０．１[g/m2]〜１．０[g/m2]とすることが好ましい。
【０１２０】
また、加熱加圧は、ヒートローラ７６の押圧力を０．０５[MPa]〜０．５[MPa]、温度を４０[℃]〜８０[℃]の範囲内に設定して行うことが好ましい。
【０１２１】
なお、本実施の形態のインクジェット記録装置１００においても、加湿装置６４を組み込み、必要に応じて加湿装置６４と併用して、用紙を加湿するようにしてもよい。
【０１２２】
〔他の実施の形態〕
上記第１の実施の形態では、加湿装置６４によって生成された加湿空気を用紙１４の裏面に吹き当てて、用紙１４の裏面を加湿する構成としているが、用紙１４の裏面を加湿する構成は、これに限らず、この他、たとえば、噴霧器で液体（たとえば、水）を噴霧して、用紙１４の裏面を加湿する構成としてもよい。また、スプレーから液体を噴霧して、用紙１４の裏面を加湿する構成としてもよい。
【０１２３】
また、上記実施の形態では、用紙１４の片面にのみ画像を記録する場合について説明したが、用紙１４の両面に画像の記録を行う場合は、用紙１４の表裏を変え、再度画像の記録を行う。すなわち、スタッカ８２に回収された用紙１４を取り出し、表裏を変えて給紙装置２２に再度セットし、インクジェット記録装置を再度稼動させて、裏面側の記録を行う。これにより、用紙１４の両面に画像を記録することができる。この場合、本実施の形態のインクジェット記録装置では、カックルを良好に矯正した状態で裏面側の画像記録を行うので、裏面に対しても高品位な画像を記録することができる。また、所定枚数積層させて回収した場合であっても、スタッカーブロッキングを生じさせることなく回収することができる。
【０１２４】
また、表面側の記録が完了した後、連続して裏面側の記録を行うようにしてもよい。すなわち、加熱加圧された用紙を回収するのではなく、そのまま連続して裏面側の記録を行うように構成する。具体的には、用紙の表面（第１面）にインクを打滴して、画像を記録する第１の記録部と、表面（第１面）に画像が記録された用紙の裏面（第２面）を加湿する第１の加湿部と、裏面（第２面）が加湿された用紙の表面（第１面）にヒートローラを押圧当接させて加熱加圧する第１の加熱加圧部と、加熱加圧された用紙の表裏を反転させる表裏反転部と、表裏が反転された用紙の裏面（第２面）にインクを打滴して、画像を記録する第２の記録部と、裏面（第２面）に画像が記録された用紙の表面（第１面）を加湿する第２の加湿部と、表面（第１面）が加湿された用紙の裏面（第２面）にヒートローラを押圧当接させて加熱加圧する第２の加熱加圧部とを備えた両面インクジェット記録装置とすることもできる。
【０１２５】
また、この場合も各加湿部の前に乾燥部を設置し、各加湿部は、各乾燥部から排出される湿潤空気を用紙に供給して加湿するように構成することができる。
【０１２６】
また、上記実施の形態では、熱可塑性樹脂を含有する水性インクを用いて画像を記録する場合を例に説明したが、この他、水性の活性光線硬化性インク（たとえば、水性ＵＶインク）を使用して画像を記録することもできる。この場合、加熱加圧部に活性光線照射装置が設置される。
【符号の説明】
【０１２７】
１０…インクジェット記録装置、１４…用紙、２０…給紙部、３０…処理液付与部、３２…渡し胴、３４…圧胴（処理液ドラム）、３６…処理液付与装置、４０…記録部、４２…渡し胴、４４…圧胴（記録ドラム）、４６Ｃ、４６Ｍ、４６Ｙ、４６Ｋ…インクジェットヘッド、５０…乾燥部、５２…渡し胴、５４…圧胴（乾燥ドラム）、５６…乾燥装置、６０…加湿部、６２…渡し胴、６４…加湿装置、７０…加熱加圧部、７２…渡し胴、７４…圧胴（加熱加圧ドラム）、７６…ヒートローラ、８０…回収部、８２…スタッカ、８４…コンベア、１００…インクジェット記録装置、１１０…加湿機構、１１２…送風ヘッド、１１４…エアチャンバ、１１６…エアダクト、１１８…送気ファン
【図１】
2011037195.tif 000003
【図２】
2011037195.tif 000004
【図３】
2011037195.tif 000005
【図４】
2011037195.tif 000006